(57)【要約】【課題】  輻射ノイズの漏れを抑制することが可能な電子機器を提供することを目的とする。【解決手段】  本発明に係る電子機器は、制御基板４と制御基板４を保持する基板ホルダ７と、制御基板４と基板ホルダ７とを収容するカバー９と、基板ホルダ７に配置され、カバー９内の空気を排出するためのファン５と、を備え、基板ホルダ７およびカバー９の少なくとも一方は、ファン５に対応する位置に複数の小開口を備え、複数の小開口のうち少なくとも隣接する２つの小開口の形状が互いに異なることを特徴とする。【選択図】  図４
2019029486.tif 000002
【特許請求の範囲】
【請求項１】
電子回路基板と、
前記電子回路基板を保持するシャーシと、
前記電子回路基板と前記シャーシとを収容する筐体と、
前記シャーシに配置され、前記筐体内の空気を排出するためのファンと、
を備え、
前記シャーシおよび前記筐体の少なくとも一方は、前記ファンに対応する位置に複数の開口を備え、前記複数の開口のうち少なくとも隣接する２つの開口の形状が互いに異なることを特徴とする電子機器。
【請求項２】
前記複数の小開口は互いに異なる形状であることを特徴とする請求項１に記載の電子機器。
【請求項３】
前記複数の小開口のうち前記電子機器の中央側に設けられた小開口の開口面積は、前記電子機器の周辺側の小開口の開口面積よりも大きいことを特徴とする請求項１または請求項２に記載の電子装置。
【請求項４】
前記複数の小開口は、前記電子機器の中央側ほど、高密度に配置されることを特徴とする請求項１乃至請求項３のいずれか１項に記載の電子機器。
【請求項５】
前記複数の小開口は、非対称に配置されることを特徴とする請求項１乃至請求項４のいずれか１項に記載の電子機器。
【請求項６】
各小開口は、非対称形状であることを特徴とする請求項１乃至請求項５のいずれか１項に記載の電子機器。
【請求項７】
各小開口は、多角形状であり、対向する辺の長さが互いに異なることを特徴とする請求項１に記載の電子装置。
【請求項８】
前記複数の小開口は、前記シャーシの前記ファンに対応する位置に設けられることを特徴とする請求項１乃至請求項７のいずれか１項に記載の電子機器。
【請求項９】
前記複数の小開口は、前記筐体の前記ファンに対応する位置に設けられることを特徴とする請求項１乃至請求項７のいずれか１項に記載の電子機器。
【請求項１０】
電子回路基板と、
前記電子回路基板を保持するシャーシと、
前記電子回路基板と前記シャーシとを収容する筐体と、
前記シャーシに配置され、前記筐体内の空気を排出するためのファンと、
を備え、
前記シャーシおよび前記筐体の少なくとも一方は、前記ファンに対応する位置に非対称形状の開口を備えることを特徴とする電子機器。
【請求項１１】
前記開口は、多角形状であり、対向する２つの辺の長さが互いに異なることを特徴とする請求項１０に記載の電子機器。
【請求項１２】
請求項１乃至請求項１１のいずれか１項に記載の電子機器と、
画像を表示する表示モジュールと、
を備える表示装置であって、
前記電子回路基板は、前記表示モジュールを制御する制御基板であることを特徴とする表示装置。
【発明の詳細な説明】
【技術分野】
【０００１】
本発明は、ファンを備える電子機器、および表示装置に関する。
【背景技術】
【０００２】
近年、表示装置や撮像装置等、画像データを処理する電子機器では、画像の高解像度化に伴い、内部の制御回路基板や画像処理回路基板の動作クロックや、画像データの伝送するための伝送クロックが、従来よりも高速である場合がある。例えば、所謂４Ｋ解像度の画像データを伝送するために、１２Ｇ−ＳＤＩの伝送方式で画像データを伝送する場合がある。
【０００３】
高速のクロックで動作する回路基板からは、輻射ノイズが発生する場合がある。回路基板で発生した輻射ノイズが、電子機器の外部に漏れることを抑制するため、金属等の導電性が高い材料で形成された筐体で、回路基板を収容することがある。回路基板で発生した輻射ノイズは、筐体によるシールド効果により、電子機器の外部に漏れることが抑制される。
【０００４】
また、画像データが大容量になったことに応じて、各回路基板の処理負荷が増大することにより、電子機器の内部での発熱量が増加する。電子機器の内部の温度が上昇すると、各回路基板の動作の安定性が低下する場合があることから、回路基板を収容する筐体に通気口を設けて、筐体内の熱を排出することがある。一方で、筐体に設けた通気口から、輻射ノイズが漏れることがある。
【０００５】
特許文献１に記載の電子機器の収納筐は、排気用のファンに対向する通気口を、複数の小開口で形成することにより、排気効率の低下を抑制しながら、輻射ノイズの漏れを抑制することが可能である。
【先行技術文献】
【特許文献】
【０００６】
【特許文献１】特開平１０−１４５０６９号公報
【発明の概要】
【発明が解決しようとする課題】
【０００７】
しかしながら、上述した従来の技術では、複数の同一形状の小開口で、通気口を形成することから、小開口の寸法に応じた特定の波長の輻射ノイズが漏れてしまう場合があった。
【０００８】
そこで、本発明は、輻射ノイズの漏れを抑制することが可能な電子機器を提供することを目的とする。
【課題を解決するための手段】
【０００９】
上述した課題を解決するために、本発明に係る電子機器は、電子回路基板と、前記電子回路基板を保持するシャーシと、前記電子回路基板と前記シャーシとを収容する筐体と、前記シャーシに配置され、前記筐体内の空気を排出するためのファンと、を備え、前記シャーシおよび前記筐体の少なくとも一方は、前記ファンに対応する位置に複数の開口を備え、前記複数の開口のうち隣接する２つの開口の形状が互いに異なることを特徴とする。
【発明の効果】
【００１０】
本発明の電子機器によれば、各開口の形状が異なることにより、特定の波長の輻射ノイズが外部に漏れやすくなることが抑制される。したがって、より輻射ノイズの漏れを抑制することが可能となる。
【図面の簡単な説明】
【００１１】
【図１】表示装置の分解斜視図である。
【図２】表示装置の断面図である。
【図３】表示装置の背面図である。
【図４】カバーの背面図である。
【図５】排気口の形状を示す模式図である。
【図６】基板ホルダの背面図である。
【図７】通気口の形状を示す模式図である。
【発明を実施するための形態】
【００１２】
以下、図面を用いて本発明の実施の形態について説明する。なお、本発明の技術的範囲は、特許請求の範囲によって確定され、以下に例示する実施例によって限定されるものではない。また、実施例の中で説明されている特徴の組み合わせすべてが本発明に必須とは限らない。本明細書および図面に記載の内容は例示であって、本発明を制限するものと見なすべきではない。本発明の趣旨に基づき種々の変形（各実施例の有機的な組合せを含む）が可能であり、それらを本発明の範囲から除外するものではない。即ち、各実施例及びその変形例を組み合わせた構成も全て本発明に含まれるものである。
【００１３】
（実施例１）
以下、本発明の実施例１について説明する。実施例１では、電子機器が表示装置である場合について説明を行う。なお、電子機器は表示装置に限らない。例えば、電子機器は、パーソナルコンピュータ（ＰＣ）、再生装置、サーバ装置、スマートフォン、携帯型ゲーム機等であってもよい。
【００１４】
図１は、表示装置１の分解斜視図である。図２は、表示装置１の断面図である。図３は、表示装置１の背面図である。なお、図３は、説明のため、カバー９を除いた状態における表示装置１の背面を示す。
【００１５】
表示装置１は、表示パネル２、バックライトユニット３、制御基板４、ファン５、スイッチ基板６、基板ホルダ７、前面フレーム８、および背面側カバー９を備える。表示パネル２は、バックライトユニット３から照射された光を透過して前面に画像を表示する透過型の表示パネルである。例えば、表示パネル２は、透過率を制御可能な複数の液晶素子を備える液晶パネルであるとする。
【００１６】
バックライトユニット３は、表示パネル２の背面側に配置され、表示パネル２へ光を照射する照明装置である。バックライトユニット３は、光源を備えた光源基板９、光学シート１０、それらを収めるバックライトシャーシ１１を備える。バックライトユニット３は、複数のＬＥＤ（Ｌｉｇｈｔ  Ｅｍｉｔｔｉｎｇ  Ｄｉｏｄｅ）光源を、マトリクス状に配置した直下型のバックライトであるとする。なお、光源は、冷陰極刊（ＣＣＦＬ、ＣＯＬＤ  Ｃａｔｈｏｄｅ  Ｆｌｕｏｒｅｓｃｅｎｔ  Ｌａｍｐ）であってもよい。また、エッジライト型のバックライトであってもよい。
【００１７】
表示パネル２およびバックライトユニット３は、表示モジュールを構成する。表示モジュールは、液晶パネルを用いた所謂液晶表示モジュールでなくともよい。例えば、複数の有機ＥＬ素子を備え、画像を表示する有機ＥＬ表示モジュールであってもよい。
【００１８】
制御基板４は、表示モジュールおよびファン５の動作を制御するための電子回路を備える電子回路基板である。制御基板４は、バックライトユニット３の背面側に配置され、基板ホルダ７を介してバックライトユニット３に固定される。制御基板４は、ＩＣ１３等の電子部品を備える。制御基板４は、複数の回路基板から構成されるものであってもよい。また、制御基板４は、非図示の電源端子を介して電力を受領し、表示モジュールおよびファン５に供給する電源基板を含んでいてもよい。また、制御基板４は、非図示の入力端子から受信した画像データに基づいて、表示モジュールやファン５を制御する。制御基板４は、１２Ｇ−ＳＤＩインターフェースに対応しているとする。つまり、制御基板４は、１２ＧＢ／秒でデータを取得して、処理を行うことが可能である。
【００１９】
ファン５は、カバー９内部の空気を排出するための排気装置である。ファン５は、前面側を基板ホルダ７に固定される。ファン５の背面側に排気口を備え、前面側に吸気口を備える。したがって、ファン５は、基板ホルダ７側からカバー９側へ空気を送る。ファン５は、表示装置１の背面上部に、左右対称の位置に２つ配置され、基板ホルダ７を介してバックライトユニット３に固定される。ファン５は、制御基板４に配線（不図示）を介して電気的に接続され、駆動制御される。このファン５は、表示装置１の駆動による発熱を冷却するために用いられ、空気をカバー９の内から外に排気する。なお、ファン５は、カバー９から空気を吸排気する機能を有していればよく、軸流ファンやシロッコファン、ＤＣ駆動やＡＣ駆動などの詳細は問わない。また、カバー９の外から内に吸気するよう配置してあってもよく、１つ、または複数のいずれであってもよい。
【００２０】
スイッチ基板６は、表示パネル２の前面側に配置されており、制御基板４と配線（不図示）を介して電気的に接続されている。また、スイッチ基板６は、ユーザによる表示装置の操作のために設けられる操作スイッチに接続されている。
【００２１】
基板ホルダ７は、背面側にて制御基板４、ファン５を保持し、バックライトユニット３の背面側に所定の間隔をもって固定されるシャーシである。ファン５は、ファン５の吸気側の面にて基板ホルダ７に固定される。基板ホルダ７は、バックライトユニット３の背面と基板ホルダ７とで囲まれた空間をファン５の吸気口と通気するための通気口１４が設けられる。また、基板ホルダ７の下部には、バックライトユニット３と基板ホルダ７との間の空間と、表示装置１の外部とを通気するための通気口１７が設けられる。さらに、基板ホルダ７のファン５と制御基板４との間の部分には、バックライトユニット３と基板ホルダ７との間の空間と、カバー９と基板ホルダ７との間の空間とを通気するための通気口１８が設けられる。基板ホルダ７は板金などの導電性部材で構成される。
【００２２】
前面フレーム８は、表示パネル２の画像表示領域の周縁部およびバックライトユニット３の側面部の一部を覆うフレームである。前面フレーム８は、表示パネル２の表示領域を露出するように中央が開いた枠体であり、周辺部に操作スイッチが設けられる。
【００２３】
カバー９は、バックライトユニット３の背面、制御基板４、ファン５および基板ホルダ７を収容する筐体である。前面フレーム８とカバー９とは表示装置１のエンクロージャとして機能する。カバー９のファン５の排気口と面する位置に、ファン５からの排気を表示装置１の外側へ通すための排気口１５が設けられる。また、カバー９の下部には、カバー９の内部へ空気を取り込むための吸気口１６が設けられている。前面フレーム８およびカバー９は板金など導電性部材で構成されるとする。なお、バックライトユニット３、基板ホルダ７、前面フレーム８およびカバー９は、電気的に接続される。表示装置１は、接地電位をフレーム電位とするフレームグランドである。
【００２４】
カバー９の下部の吸気口１６から取り込まれた空気は、通気口１４を経由してファン５まで通過し、ファン５によってカバー９に設けられた排気口１５から筺体外に排気される。この通気により、バックライトユニット３や制御基板４を冷却する。
【００２５】
カバー９を通過する空気のうち一部は、破線Ａに示すように、基板ホルダ７に設けられた通気口１７を通過したのち、バックライトユニット３と基板ホルダ７の間の空間を通過する。ファン５は表示装置１の背面上部、左右対称の位置に２つ配置されているので、破線Ａで示す通気は、バックライトユニット３の背面に沿うように下部から上部に向かい、面内にて左右がほぼ均等な通気量となるように流れる。これにより、バックライトユニット３を面内温度のムラを小さく冷却することができる。
【００２６】
また、カバー９を通過する空気のうち一部は、破線Ｂに示すように、基板ホルダ７とカバー９との間の空間を通過したのち、基板ホルダ７に設けられた通気口１８を経由してバックライトユニット３と基板ホルダ７の間の空間を通る。通気口１８は、基板ホルダ７のファン５と制御基板４との間、ファン５の間に配置されており、この通気口１８に向かって破線Ｂで示す通気は吸気口１６から流れる。制御基板４に配置されたＩＣ１３などの発熱する部材にこの破線Ｂの通気を通過させることで、制御基板４を冷却する。
【００２７】
通気口１７、１４ｃの開口面積、位置をあらかじめ調整し設けておくことで、破線Ａ、Ｂで示す通気の流量比、流れる部位を調整することができる。
【００２８】
液晶表示パネルを用いた画像表示装置では、高精細化、高輝度化、高コントラスト化が進められているが、高精細化する場合、つまり液晶パネルの表示画素ピッチを小さくする場合、一般的には液晶パネルを透過する光の透過率は低下する。このような液晶パネルを用いて高い輝度の表示画像を得るためには、光源装置からの発光輝度をより大きくする必要がある。発光輝度を増すに伴って光源装置の発熱量も増加してきている。また、高コントラスト化のためには、バックライトユニット３に直下型バックライトを用いることが望ましい。直下型バックライトの場合、光源基板９は面状に発熱することから、バックライトユニット３の温度は周囲部よりも中央部分で高温となりやすい。また、制御基板４もこのバックライトユニット３の昇温による輻射熱の影響や、吸気口１６から離れた位置となる電子機器の中央部分において、周辺部よりも高温となりやすい。したがって、カバー９内部の中央部分に多く通気させることが望ましい。
【００２９】
図４は、カバー９の背面図である。カバー９のファン５の排気側と面する位置に排気口１５が配置されている。排気口１５は、それぞれ、複数の小開口からなる。複数の小開口のうち、ある開口は、隣接する少なくとも１つの開口と異なる形状になるように、排気口１５が形成される。例えば、小開口１５Ａは、小開口１５Ｂよりも、表示装置の長手方向（水平方向）における長さが短い。したがって、小開口の長手方向の辺の長さに対応する波長の輻射ノイズが、小開口ごとに異なる。したがって、各小開口の辺の長さが同一である場合よりも、特定波長の輻射ノイズがカバー９の外部に漏れることを抑制することが可能となる。
【００３０】
また、各排気口１５において、排気口１５を形成する小開口のうち開口面積の大きい小開口が、表示装置１の中央部分に近い部分に配置される。これにより、表示装置１の中央寄りに空気を多く流すことができる。
【００３１】
図５は、排気口１５の形状のその他の例を示す模式図である。図５は、それぞれ、図４における左側の排気口１５の例を示すものである。図５（ａ）は、排気口１５を上下方向に開口面積の異なる小開口で形成した場合を示す模式図である。この場合、隣接する小開口の短手方向（鉛直方向）における長さが互いに異なる。開口面積の大きい小開口を表示装置１の中央寄りに配置することで、不要輻射を抑制しつつ、吸気口１６からの空気を効果的に排気することが出来る。図５（ｂ）は、排気口１５を複数の形状の異なる小開口列を組み合わせて形成した場合を示す模式図である。図５（ｃ）は、排気口１５を複数の円形の小開口を組み合わせて形成した場合を示す模式図である。各円形の小開口は、少なくとも１つの隣接する小開口と異なる直径を有する。また、複数の円形の小開口は、中央側ほど、高密度に配置される。
【００３２】
いずれの場合でも、複数の小開口は、隣接する形状の異なる小開口の組み合わせを有する。また、排気口１５は、表示装置１の中央部分に近い領域ほど開口率が増加するように形成される。
【００３３】
上述のように、排気口を形成することにより、複数の同形状の小開口を並べて排気口を形成した場合よりも、小開口の寸法に対応する特定の波長の輻射ノイズが表示装置の外部に漏れだすことを抑制することが可能となる。
【００３４】
（実施例２）
以下、本発明に係る実施例２に係る電子機器について説明する。実施例２は、電子機器が表示装置である場合を示す。実施例２において、表示装置１の装置構成は、実施例１と後述する基板ホルダ７の通気口の形状以外は同等であることから、詳細な説明を省略する。
【００３５】
図６は、基板ホルダ７の背面図を示す。基板ホルダ７のファン５の吸気側と面する位置に通気口１４が配置されている。通気口１４の周囲部には、ファン５をネジで固定するためのネジ穴が設けられている。
【００３６】
通気口１４は、それぞれ、複数の小開口を組み合わせて形成される。複数の小開口は、１つの小開口が少なくとも１つの形状の異なる小開口と隣接するように設けられる。ファン５への通気口１４は、排気口１５と重なる位置となるため輻射ノイズが出やすい形態となるが、上述の構成とすることで通気口１４および排気口１５でそれぞれ輻射ノイズが低減されることにより、より輻射ノイズの漏れを抑制することが可能となる。
【００３７】
また、通気口１４を形成する小開口のうち、表示装置１の中央側に設けられた小開口の開口面積は、表示装置１の周辺側に設けられた小開口よりも開口面積が大きい。これにより、表示装置１の中央寄りに空気を多く流すことができる。
【００３８】
さらに、通気口１４を形成する複数の小開口はそれぞれ、非対称形状であるように形成される。これにより、各小開口において、基板ホルダ７に生じたコモンモードノイズの増幅を抑制することができる。コモンモードノイズは、制御基板４と基板ホルダ７との間の浮遊静電容量などを介して漏れた電流により信号ラインや電源ラインとフレームグランド間に生じるノイズである。コモンモードノイズが発生することにより、基板ホルダ７の電位が変動する。例えば、通気口１４を構成する各小開口が対称形状の場合、コモンモードノイズの１／２波長と小開口の開口の辺の長さが一致すると、通気口１４の対称形状部分同士でノイズが共振し増幅してしまう場合がある。したがって、対称形状の小開口を複数並べて、通気口を形成した場合、当該小開口の形状に対応するコモンモードノイズが発生した場合に、ノイズが増幅することがあった。
【００３９】
上述のように、各小開口を非対称形状とすることによって、特定の波長のコモンモードノイズが増幅することを抑制することが可能となる。通気口１４を１つの開口で構成することも可能である、例えば、通気口１４を対向する２辺の長さが異なる多角形状の１つの開口としてもよい。対向する辺の長さが異なることにより、コモンモードノイズが増幅することを抑制することが可能となる。また、上述したような、対向する２辺の長さが異なる多角形状の小開口を複数設けてもよい。
【００４０】
図７に、通気口１４の形状の他の例を示す模式図である。図７（ａ）（ｂ）に示すように、通気口１４を開口面積が異なりかつ形状が非対称の複数の小開口で、非対称形状となるように形成することもできる。この場合、より開口面積の大きい小開口を表示装置１の中央寄りに配置することで、不要輻射を抑制しつつ、吸気口１６からの空気を効果的に排気することが出来る。
【符号の説明】
【００４１】
１  表示装置
２  表示パネル
３  バックライトユニット
４  制御基板
５  ファン
６  スイッチ基板
７  基板ホルダ
８  前面フレーム
９  光源基板
１０  光学シート
１１  バックライトシャーシ
１３  ＩＣ
１４  通気口
１５  排気口
１６  吸気口
【図１】
2019029486.tif 000003
【図２】
2019029486.tif 000004
【図３】
2019029486.tif 000005
【図４】
2019029486.tif 000006
【図５】
2019029486.tif 000007
【図６】
2019029486.tif 000008
【図７】
2019029486.tif 000009